(57)【要約】  本発明は、携帯型計算装置上での表示のための関連広告の選択に関する。当該装置は、各広告が一つ以上の記述子と関連する複数の広告をメモリに記憶している。前記装置（１０）上に表わされる動的で異種の内容に基づいて（９８）、内容記述子が識別される（１００）。次に、内容記述子は、装置１０上に広告を選択して表示する（１０４）ためにメモリに記憶されている広告記述子と比較される（１０２）。本発明は、多くの携帯装置がオンラインでなく（すなわちオフラインで）継続して使用されていることを識別する。装置がオフラインであって、装置がどの広告を表示し、いつ表示するかを決定するのに信頼性が外部のネットワーク又は外部の装置に置くことができない一方、関連の広告が選択でき携帯装置上に表示できることは、本発明の利点である。本発明の観点は、装置により実施される方法、装置及び当該装置でのインストールのためのソフトウェアを含む。
2013511792.tif 000002
【特許請求の範囲】
【請求項１】
照明源を照明器具又は他の照明装置に取り付けるための調節可能な保持具であって、照明源を保持するマウントと、前記マウントの傾斜をセットするために、各々が前記マウント上に力を直接又は間接的に行使する一つ以上の独立して調整可能なカム面とを有する、調節可能な保持具。
【請求項２】
照明源のための調節可能な保持具であって、照明源を保持する第１のマウントと、照明器具又は他の照明装置に前記保持具を結合させる第２のマウントとを有し、第１のマウントは、第１のマウントのそれぞれの位置に対して直接又は間接的に各々が力を行使する一つ以上のカム面を介して第２のマウントに関連して傾斜され、前記カム面が行使される前記力を調整するために独立して移動可能である、調節可能な保持具。
【請求項３】
照明源のための調節可能な保持具であって、照明源を保持する第１のマウントと、照明器具又は他の照明装置に第１のマウントを結合させる第２のマウントと、各々が第２のマウントに移動可能に結合され、第１のマウント又はその一部に対して直接又は間接的に支える一つ以上のカム面とを有し、前記カム面各々は、各位置が第２のマウントと第１のマウントの一部との間の変位をセットする当該位置の範囲内で操作できる、調節可能な保持具。
【請求項４】
第２のマウントと関連した第１のマウントの傾斜が、各カム面を当該位置の範囲の１つの位置に操作することにより設定できる、請求項３に記載の調節可能な保持具。
【請求項５】
各カム面が第２のマウントと関連してスライドする斜面を有する、請求項３又は４に記載の調節可能な保持具。
【請求項６】
各カム面が第１のマウントから延在する突起又は第１のマウントに結合される突起に対して支える、請求項３乃至５の何れか一項に記載の調節可能な保持具。
【請求項７】
各カム面に対して第１のマウント又はその一部を付勢するための一つ以上のバイアスを有する、請求項３乃至６の何れか一項に記載の調節可能な保持具。
【請求項８】
各バイアスは、第２のマウントと第１のマウントとの間に延在するピンと、一つ以上のカム面に対して直接又は間接的に第１のマウント又はその一部を付勢するためにピンと第１のマウントとの間を支える付勢ばねとを有する、請求項３乃至７の何れか一項に記載の調節可能な保持具。
【請求項９】
第２のマウントの表面周辺で摺動可能に係合される斜面を各々有する３つのカム面があり、各カム面は周辺が湾曲され、第２のマウントの周りを少なくとも部分的に摺動可能であり、各バイアスは、第１及び第２のマウントを結合させるために各カム面内の長手の湾曲したスロットを通じて延在するピンを有し、前記ピンはベアリング手段を有し、前記付勢ばねが、当該ベアリング手段から延在して、前記カム面に対して直接又は間接的に第１のマウント又はその一部を付勢するために第１のマウントに対して支える、請求項３乃至８の何れか一項に記載の調節可能な保持具。
【請求項１０】
前記突起が第１のマウントと一体的に形成されている、請求項３乃至９の何れか一項に記載の調節可能な保持具。
【請求項１１】
前記突起が第１のマウントと前記カム面との間の前記ピン上に配置されている、請求項３乃至１０の何れか一項に記載の調節可能な保持具。
【請求項１２】
突起が前記カム面の操作のため各カム面から延在する、請求項３乃至１１の何れか一項に記載の調節可能な保持具。
【請求項１３】
請求項３乃至１２の何れか一項に記載の調節可能な保持具を有する、照明器具。
【請求項１４】
第１のマウントが螺子挿入部材を介して第２のマウントに結合され、第２のマウントの回転が、取り付けられる照明源のピーク／平坦を調整するために第１のマウントの軸位置を調整するように前記螺子挿入部材を引っこめたり及び／又は伸ばしたりする、請求項３乃至１２の何れか一項に記載の調節可能な保持具。
【請求項１５】
第１のマウント又はその一部が、ランプを取り外すために第２のマウントから引き出される、請求項３乃至１２の何れか一項に記載の調節可能な保持具。
【請求項１６】
照明源を照明器具又は他の照明装置に取り付けるための調節可能な保持具を具備する照明器具であって、前記保持具は、照明源を保持するマウントと、前記マウントの傾斜をセットするために、各々が前記マウント上に力を直接又は間接的に行使する一つ以上の独立して調整可能なカム面とを有する、照明器具。
【請求項１７】
照明源を照明器具又は他の照明装置に取り付けるための調節可能な保持具であって、当該保持具は照明源を保持するためのマウントを有し、第１のマウントが螺子挿入部材を介して第２のマウントに結合され、第２のマウントが照明器具に取り付けられるとき、第２のマウントの回転が、取り付けられる照明源のピーク／平坦を調整するために第１のマウントの軸位置を調整するように前記螺子挿入部材を引っこめたり及び／又は伸ばしたりする、調節可能な保持具。
【請求項１８】
照明源を照明器具又は他の照明装置に取り付けるための調節可能な保持具を具備する照明器具であって、当該保持具は照明源を保持するためのマウントを有し、第１のマウントが螺子挿入部材を介して第２のマウントに結合され、第２のマウントが照明器具に取り付けられ、第２のマウントの回転が、取り付けられる照明源のピーク／平坦を調整するために第１のマウントの軸位置を調整するように前記螺子挿入部材を引っこめたり及び／又は伸ばしたりする、照明器具。
【請求項１９】
添付図面を参照して前述された調節可能な保持具。
【請求項２０】
添付図面を参照して前述された照明器具。
【発明の詳細な説明】
【技術分野】
【０００１】
本発明は、ランプのような照明源を保持し、調整するために調節可能な照明器具及び／又は照明器具で使用される調節可能な機構に関する。
【背景技術】
【０００２】
照明器具は、ステージ照明等に使用される照明装置である。これらは、照明リグ装置等から吊るされ得る一般に円筒状の外側ハウジングを有する。照明器具は、ハウジング内のレンズに向けて光を投射する（ランプのような）照明源を有する。光は、レンズを出て、所望の領域を照明する。ランプは、通常、ハウジングの背後に向いた又は背後の保持具等内に取り付けられる。
【０００３】
ランプを保持具に取り付けるとき、一般に、長手のランプをハウジングの縦軸に完全に位置合わせさせることは困難又は不可能である。結果として、ランプから放射する光は、わずかにきちんと並んでいないか又は片寄っていて、結果的に低下したパフォーマンスとなる。
【０００４】
ランプの配置を調整する際に援助するための機構が提供されてきたが、これらは通常は使用するには扱いにくい。
【発明の概要】
【発明が解決しようとする課題】
【０００５】
本発明の目的は、照明器具又は同様の照明装置内の照明源のためのより便利な調整機構を提供すること、又は公衆に有効な選択を少なくとも与えることである。
【課題を解決するための手段】
【０００６】
一つの観点では、本発明は、照明源を照明器具又は他の照明装置に取り付けるための調節可能な保持具であって、ランプ又は他の照明源を保持するマウントと、前記マウントの傾斜をセットするために、各々が前記マウント上に力を直接又は間接的に行使する一つ以上の独立して調整可能なカム面とを有する、調節可能な保持具にあると言える。
【０００７】
他の観点では、本発明は、照明源のための調節可能な保持具であって、ランプ又は他の照明源を保持する第１のマウントと、照明器具又は他の照明装置に前記保持具を結合させる第２のマウントとを有し、第１のマウントは、第１のマウントのそれぞれの位置に対して直接又は間接的に各々が力を行使する一つ以上のカム面を介して第２のマウントに関連して傾斜され、前記カム面が行使される前記力を調整するために独立して移動可能である、調節可能な保持具にあると言える。
他の観点では、本発明は、照明源のための調節可能な保持具であって、ランプ又は他の照明源を保持する第１のマウントと、照明器具又は他の照明装置に第１のマウントを結合させる第２のマウントと、各々が第２のマウントに移動可能に結合され、第１のマウント又はその一部に対して直接又は間接的に支える一つ以上のカム面とを有し、前記カム面各々は、各位置が第２のマウントと第１のマウントの一部との間の変位をセットする当該位置の範囲内で操作できる、調節可能な保持具にあると言える。
【０００８】
好ましくは、第２のマウントと関連した第１のマウントの傾斜は、各カム面を位置の範囲の１つに操作することにより設定できる。
【０００９】
好ましくは、各カム面は、第２のマウントと関連してスライドする斜面を有する。
【００１０】
好ましくは、各カム面は、第１のマウントから延在する突起又は第１のマウントに結合される突起に対して支える。
【００１１】
好ましくは、保持具は、各カム面に対して第１のマウント又はその一部を付勢するための一つ以上のバイアスを有する。
【００１２】
好ましくは、各バイアスは、第２のマウントと第１のマウントとの間に延在するピンと、一つ以上のカム面に対して直接又は間接的に第１のマウント又はその一部を付勢するためにピンと第１のマウントとの間を支える付勢ばねとを有する。
【００１３】
好ましくは、第２のマウントの表面周辺で摺動可能に係合される斜面を各々有する３つのカム面があり、各カム面は周辺が湾曲され、第２のマウントの周りを少なくとも部分的に摺動可能であり、各バイアスは、第１及び第２のマウントを結合させるために各カム面内の長手の湾曲したスロットを通じて延在するピンを有し、前記ピンはベアリング手段を有し、当該ベアリング手段から前記付勢ばねが、延在して、前記カム面に対して直接又は間接的に第１のマウント又はその一部を付勢するために第１のマウントに対して支える。
【００１４】
好ましくは、前記突起は、第１のマウントと一体的に形成されている。
【００１５】
好ましくは、前記突起は、第１のマウントと前記カム面との間の前記ピン上に配置されている。好ましくは、突起は、前記カム面の操作のため各カム面から延在する。
【００１６】
他の観点では、本発明は、上述の何れかに記載の調節可能な保持具を有する、照明器具にあると言える。
【００１７】
好ましくは、第１のマウントが螺子挿入部材を介して第２のマウントに結合され、第２のマウントの回転が、取り付けられるランプ又は他の照明装置のピーク／平坦を調整するために第１のマウントの軸位置を調整するように前記螺子挿入部材を引っこめたり及び／又は伸ばしたりする。
【００１８】
好ましくは、第１のマウント又はその一部が、ランプを取り外すために第２のマウントから引き出される。
【００１９】
他の観点では、本発明は、照明源を照明器具又は他の照明装置に取り付けるための調節可能な保持具を具備する照明器具であって、前記保持具は、ランプ又は他の照明源を保持するマウントと、前記マウントの傾斜をセットするために、各々が前記マウント上に力を直接又は間接的に行使する一つ以上の独立して調整可能なカム面とを有する、照明器具にあると言える。
【００２０】
他の観点では、本発明は、照明源を照明器具又は他の照明装置に取り付けるための調節可能な保持具であって、当該保持具はランプ又は他の照明源を保持するためのマウントを有し、第１のマウントが螺子挿入部材を介して第２のマウントに結合され、第２のマウントが照明器具に取り付けられるとき、第２のマウントの回転が、取り付けられるランプ又は他の照明装置のピーク／平坦を調整するために第１のマウントの軸位置を調整するように前記螺子挿入部材を引っこめたり及び／又は伸ばしたりする、調節可能な保持具にあると言える。
【００２１】
他の観点では、本発明は、照明源を照明器具又は他の照明装置に取り付けるための調節可能な保持具を具備する照明器具であって、当該保持具はランプ又は他の照明源を保持するためのマウントを有し、第１のマウントが螺子挿入部材を介して第２のマウントに結合され、第２のマウントが照明器具に取り付けられ、第２のマウントの回転が、取り付けられるランプ又は他の照明装置のピーク／平坦を調整するために第１のマウントの軸位置を調整するように前記螺子挿入部材を引っこめたり及び／又は伸ばしたりする、照明器具にあると言える。
【００２２】
本願明細書では、特許出願公報、他の外部文献又は情報の他のソースが参照されているが、これは、一般に、本発明の特徴を説明するための状況を提供する目的のためである。特に述べられない限り、斯様な外部文献は、何れの権限においても、斯様な文献又は情報の斯様なソースが従来技術であるとか、又は当業者の一般的知識の一部を形成するとの了解として解釈されるべきではない。
【００２３】
本願明細書で使用される用語「有している」は、「少なくとも部分的に含む」ことを意味する。「有する」、「含まれる」のような関係のある用語も、同様に解釈されるべきである。
【００２４】
本発明は、本願の明細書で個別的に又は集合的に参照されたり又は示される部品、要素及び特徴、並びに部品、要素又は特徴の２つ以上の任意の又は全ての組み合わせに含まれていると広義に言うことができ、本発明が関係する従来技術の既知の等価物を持つ特定の全体が言及されているが、斯様な既知の等価物は個別に言及されているかのようにここで組み込まれているとみなされる。
【００２５】
本発明の好ましい実施例は、照明器具又は他の照明装置に使用される照明源のための調節可能な保持具のさまざまな図を示す図１乃至図６を参照して、説明されるだろう。
【図面の簡単な説明】
【００２６】
【図１】図１ａは、調節可能な保持具の斜視図を示す。図１ｂは、調節可能な保持具の分解図である。
【図２】図２ａ乃至図２ｄは、調節可能な保持具の様々な斜視図を示す。
【図３】図３は、調節可能な保持具の平面図を示す。
【図４】図４ａ乃至４ｃは、調節可能な保持具の側面図、平面図及び背面図を示す。図４ｄは、調節可能な保持具の正面図を示す。図４ｅは、調節可能な保持具の断面図を示す。
【図５】図５ａは、可視の調節機械ネジを持つ調節可能な保持具の背面図を示す。図５ｂ及び図５ｃは、ピーク及び平坦を調整するため異なる位置に配置される調節可能な保持具を示す。
【図６】図６ａは、照明器具の調節可能な保持具の平面及び側面断面図を示す。図６ｂは、照明器具の一部に取り付けられる調節可能な保持具の斜視図である。
【発明を実施するための形態】
【００２７】
照明源のための調節可能な保持具５０の好ましい実施例は、図１ａ乃至図６ｂを参照して説明されるだろう。図６ａに示されるような、調節可能な保持具５０は、照明器具２０又は他の照明装置用に適合されている。調節可能な保持具は、適当な時間で合せられるランプ１３を保持するのに適している。保持具５０は、照明器具に挿入するための別々のアセンブリとして供給できるか、又は照明器具に既に取り付けられて供給できる。ランプは、アセンブリを具備するか、又は後日取り付けられる。本発明では、照明源としてランプ１３を指し、照明装置として照明器具を指す。これらの用語の使用は、限定的であるとみなされるべきではない。
【００２８】
図１ａを参照すると、通常の用語で、調節可能な保持具５０は、ランプ１３を保持するための（例えば図４ａの３０として概して示される）第１の（ランプ）マウントと、アセンブリを照明器具２０に取り付けるための（例えば図４ａの４０として概して示される）第２の（照明器具）マウントとを有するアセンブリである。第１のマウント及び第２のマウントは、一緒に結合される。その結合の一部として（又は結合とは別々に）、第２のマウント上を独立して移動可能である一つ以上のカム面２がある。カム面２は、第１のマウント３０と第２のマウント４０との間の変位を制御し、各々が望ましい様な異なる角度まで変位を制御する。カム面２の各々は、異なる位置で第１のマウントと第２のマウントとの間の変位を制御する。独立してカム面２の各々を動かすことにより、第１のマウント上の位置の各々での相対的変位は、第２のマウント４０に関して傾くように、第１のマウント３０を設定するように個別にセットできる。第１のマウント３０を所望の角度まで傾けることにより、ランプ１３は、照明器具２０の長手軸５０（図６ａを参照）と位置合わせできる。
【００２９】
保持具５０は、図１ａ乃至図６ｂの全てを参照して更に詳細に説明されるだろう。保持具は、フィリップスのファストフィットランプ５０Ｖ／６５０Ｗのような照明器具ランプ１３を受けるために形づくられるランプソケット１０を有する。ランプソケット１０は、ランプベース（ソケットホルダ）１２内に保持される。ランプベースは、中央貫通孔１２ａを有し、そこに２つの差し込みピンを受けるチャネル１２ｂ、１２ｃを形成した。ソケット１０は、ソケットホルダ開口１２ａ内にフィットし、摺動するのに適合する円筒形本体１０ａを有する。２つの差し込みピン突起１０ｂ、１０ｃ（その１０ｂが図１に見える）は、ランプベース１２の差し込みピンチャネル１２ｂ、１２ｃ内にフィットするのに適合している。ランプソケット１０は、適所に挿入でき、差し込みピン１０ｂ、１０ｃをそれぞれのチャネル１２ｂ、１２ｃの位置に固定するために回転できる。ランプ１３は、その時ランプベース１２を通じてランプソケット１０から突出する。
【００３０】
ランプベース１２は、２本の固定ネジ１５ａ、１５ｂを使用して、ランプベース取付プレート４と結合される。固定ネジは、ランプベース１２を通って延在し、取付プレート４の対応する開口４ａ、４ｂに位置する。ランプソケット１０、ランプベース１２、及び取付プレート４は、ランプマウント３０を形成する（例えば、図４ａを参照）。
調節可能な保持具５０は、更に、照明器具マウント４０（例えば、図４ａを参照）を有する。これは、ランプマウントに結合され、照明器具２０又は他の照明装置に結合するのに適合している。照明器具マウント４０は、ネジダイヤル１を有する。これは、手動回転のためのモールドされた外側面１ａを具備する環状リングを有する。リングの内面は、多条ネジ１ｂを有する。ネジダイヤル１は、また、その外面に環状チャネル１ｃ（例えば、図４ａ参照）を有し、照明器具２０のケース内にダイヤルを保持するためモールドされた外面の下にある。照明器具マウント４０は、また、ランプ１３用のピーク／平坦調整機構として機能する。ピーク／平坦多条螺子挿入部材１４も、供給される。これは、中央貫通孔１４ａ及び多条外径ネジ１４ｂを具備する環状リングを有する。多条螺子挿入部材は、ネジダイヤル１内でねじ切りされている。螺子挿入部材１４は、中心的なボスと、摺動可能な湾曲したチャネル２５（例えば、図２ｃを参照）を一緒に定める外周のリップとを有する。
【００３１】
上述したように、照明器具マウント４０（ピーク／平坦調整としても機能する）は、ランプマウント３０に結合される。カップリングは、螺子挿入部材１４を通って延在する対応する開口１４ｃ、１４ｄ、１４ｅを通って延在する３枚のプレートボルト３を有する。プレートボルト３は、また、（両方とも後述される）カム面２及び調節ボス１１内のスロットを通って、また、対応する取付プレート開口４ｃ、４ｄ及び４ｅを通って延在する。ばねワッシャ９及び座金１０が、各プレートボルト３の末端に取付けられる。ランプを中央に置くためのバイアススプリング８は、ばねワッシャ９及び座金１０を組み立てる前に、プレートボルト３の各々でスライドされる。カップリングは、ランプマウント３０に結合される照明器具マウント４０を保持する。付勢ばね８各々は、ばねワッシャ／座金９、１０に対して支えて、側部４ｆ上の取付プレートに対して付勢力を行使する。これは、取付プレート４がボス１１を介してカム面２に対して間接的に支えるように、照明器具マウント４０に向けて（方向Ａ）、取付プレート４を付勢する。付勢するレベルは、プレートボルト３を回転させることにより調整できる。
【００３２】
カップリングは、また、ランプ配列調整装置としても機能し、この詳細はこれ以降説明されるだろう。各カム面３は、実質的に平坦な表面２ａ及び斜面２ｂを持つ機械加工されたブロック２等を有する。各ブロック２は、照明器具マウントの周囲の通常のカーブした性質にマッチするために、特にカーブされたるチャネル２５にマッチするように周態様でカーブされている。カム面２の各々は、チャネルと整合的にカーブして、そこに係合される。各カム面２は、チャネル内で円周方向にスライドできる。各カム面２は、更に、機械加工されたブロック２を通って延在する円弧状スロット２ｃを有する。対応する円弧状開口１４ｆ―１４ｈは、それぞれのカム面２の位置に対応する螺子挿入部材１４のボディ内に設けられる。
上述したように、各プレートボルト３は、カム面の対応する円弧状スロットを通って延在する。各カム面３は、プレートボルト３周辺でチャネル２５内でスライドする。各プレートボルト３は、関連するカム面２がチャネル２５周辺でスライドできる程度の限界を提供する。ボルト３がカム面内の円弧状スロット２ｃの端に達すると、ボルト３は、その方向への更なる動きを防止する。
【００３３】
カム面２の傾斜表面２ｂは、それぞれのボス１１を介して取付プレート４に対して間接的に支える。従って、カム面２は、それぞれのボス１１を介して取付プレート４の各部に対して支えている力を行使する。各カム面２は、チャネル２５内にカム面２の手動操作のための調整突起を持つ。これは、中心ノブ６を通り、更に、螺子挿入部材の対応する円弧状スロット１４、１４ｇ、１４ｈを通って延在するランプ心立て小ネジ５を有する。各小ネジ５の末端は、各カム面２内のそれぞれのネジ穴２ｆ、２ｇ、２ｈ内に保持される。
【００３４】
ランプ保持具５０は、図６ａに示されるように照明器具内に取り付けられる。ネジダイヤル１のチャネル１ｃは、照明器具２０の外部ハウジングの壁内に保持されるように設けられる。ダイヤルは、好ましくはスプリットプレートに取り付けられるか又は座金で取り付けられる。これは、適所にランプ保持具５０を保持する。中心ピーク平坦モジュール５１は、ネジダイヤル１の動きの間の全体のアセンブリの回転を防止するために、照明器具２０のボディ内の固定されたトラックに沿って走っている。ランプ１３は、中央貫通孔５２を介してアセンブリの後部を通ってアクセスできる。ランプ１３は、指ハンドル１０ｃを使用してランプソケット１３をネジり、差し込みピン１０ｂ、１０ｃを開放するためランプソケット１０を回転させ、ユニットの後部を通じて後方に全体のランプ１３及びランプソケット１０を引き抜くことにより取り除ける。
【００３５】
アセンブリの使用
アセンブリは、ランプの心だし及び照明器具のピーク／平坦設定のための調整を可能にする。アセンブリは、また、ランプの抽出を可能にする。
【００３６】
保持具５０は、全体のランプマウント３０が、その中心軸線６１（図６ａを参照）を、よって取り付けられたランプの中心軸線を照明器具６０の中心／長手軸と位置合わせするために操作できるように、取付プレート４の相対的な傾斜を調整可能にする。この調整がなされると、ランプ１３は位置合わせされて、よって最適パフォーマンスを提供する。ハウジング２０／照明器具マウント４０と関連した取付プレート４の傾斜は、必要に応じて、カム面２の各々を独立して操作することにより達成できる。各カム面は、必要な傾斜を得るために所望の位置へ操作できる。
カム面は、螺子挿入部材１４の対応する円弧形のチャネル１４ｆ、１４ｇ、１４ｈ内で対応する小ネジ５を操作することにより、チャネル内で操作できる。小ネジ５を操作することにより、これは、チャネル２５内で対応するカム面２を操作する。そうすることは対応するボス１１上に行使される力を変えて、次に、間接的に取付プレート４上のカム面２により行使される力を変える。各カム面２が円弧状チャネル２５内でスライドできる程度は、対応する挿入スロット（１４ｆ、１４ｇ、１４ｈ）の小ネジ５により可能にされる動きの程度と、対応するプレートボルト３（前述のように）により可能にされる動きの程度とにより決定される。
【００３７】
例えば、図２ｃを参照すると、方向Ｂの方へのカム面２の操作は、ボス１１の方へカム面２の斜面の下位端を操作するだろう。ボスは、チャネル２５を挿入するために、より近くで下に移動する。この結果として、付勢ばねは、チャネル２５の方へ向けてボス１１の近くの取付プレート４を強いる。実質的に、方向Ｂにカム面２を操作することにより、取付プレートとチャネル２５との間の変位は、少なくされる。これは、取付プレート４を下げて、図３に示されるように結果として方向Ｃへランプを傾ける。
【００３８】
これとは逆に、カム面２が方向Ｄへ操作される場合、カム面２の上位端はボス１１に対して行使される。これは取付プレート４を上方へ操作し、取付プレート４とチャネル２５との間に変位を増大させ、これによって、図３に示される傾斜位置へ方向Ｆへ向けてこの近接の取付プレートの部分を傾ける。
【００３９】
実質的に、カム面２の動きは、取付プレートとチャネル２５との間で変位を変えるために直接又は間接的に取付プレート４上の力を行使し、よって、ランプ１３の傾斜を調整するために取付プレート４及び最終的にマウントを傾ける。各カム面は、必要に応じて部分の傾斜を調整するために、このように独立して操作できる。２つの両端間のカム面２の位置は、ランプ軸を照明器具長手軸と位置合わせするようにセットできる。
【００４０】
図５ｂ及び図５ｃを参照すると、ダイヤル１を回転させることにより、螺子挿入部材は、長手方向Ｇ／Ｈに移動できる。前記挿入部材を移動することにより、ランプの長手方向の変位が変えられ、結果的に変えられたピーク／平坦となる。例えば、図５ｂを参照すると、前記挿入部材が方向Ｇへダイヤル１内に完全に引っこむのに充分な程度までダイヤル１が回転される。これは、「平坦な」位置である。反対に、図５ｃに示されるように、前記挿入部材が方向Ｈへダイヤル１の外にある距離まで出るのに充分な程度までダイヤル１が他の方向へ回転される。これは、「ピーク」位置である。多条ネジは、便利な調整を提供しているダイヤルに沿って、速い調整を可能にする。
【００４１】
変形例
３つのカム面があることは、本質的ではない。一つのカム面が供給されてもよいし、より都合よく２つのカム面も供給できる。これらは、依然有効な調整を提供する。取付プレートの外周周辺に６０度間隔で配置される３つのカム面は、好適な調整可能性を提供する。
【００４２】
カム面が、突起（ボス）を介して取付プレート上へ間接的に支えることは、本質的ではない。代わりに、突起は取付プレートと一体的に形成でき、これら突起はカム面に対して直接支えることができる。
【００４３】
カム面自体の性質が変化でき、バリエーションは当業者に知られている。
【００４４】
上述のランプ／ランプベースアレンジメントは、単なる例示である。本発明は、産業において使用される適切なランプ／ランプベースアレンジメントを使用でき、本発明は、説明されているそのアレンジメントだけに限られるとみなされるべきではない。例えば、本発明は、ＧＸ８．５、ＧＸ１２、Ｇ１２、Ｇ９．５、ＧＸ９．５、Ｇｙ９．５ＧＺＸ９．５、Ｇ２２及びＧＹ２２タイプを含む全ての既知の劇場用「フロントランプ」／着脱可能なランプベースと共に使用できるか、適合できる。
【図１ａ】
2013511792.tif 000003
【図１ｂ】
2013511792.tif 000004
【図２ａ】
2013511792.tif 000005
【図２ｂ】
2013511792.tif 000006
【図２ｃ】
2013511792.tif 000007
【図２ｄ】
2013511792.tif 000008
【図３】
2013511792.tif 000009
【図４ｂ】
2013511792.tif 000010
【図４ｃ】
2013511792.tif 000011
【図４ｄ】
2013511792.tif 000012
【図４ｅ】
2013511792.tif 000013
2013511792.tif 000014
【図５ａ】
2013511792.tif 000015
【図５ｂ】
2013511792.tif 000016
【図５ｃ】
2013511792.tif 000017
【図６ａ】
2013511792.tif 000018
【図６ｂ】
2013511792.tif 000019
2013511792.tif 000020
【国際調査報告】
2013511792.tif 000021
2013511792.tif 000022